(57)【要約】【課題】小型化を図ると共にインライン供給を容易にする。【解決手段】互いにロック可能な第１及び第２のファスナ部材を含むファスナと、前記ファスナに沿ってスライド可能なスライダとを含み、前記スライダは、前記第１及び第２のファスナ部材とスライド可能に係合する係合部材を含み、前記スライダが前記ファスナに沿ってスライドするにつれて、前記係合部材は前記第１及び第２のファスナ部材を互いに引き寄せてロックする。【選択図】図３
2007325751.tif 000002
【特許請求の範囲】
【請求項１】
互いにロック可能な第１及び第２のファスナ部材を含むファスナと、
前記ファスナに沿ってスライド可能なスライダとを含み、
前記スライダは、前記第１及び第２のファスナ部材とスライド可能に係合する係合部材を含み、
前記スライダが前記ファスナに沿ってスライドするにつれて、前記係合部材は前記第１及び第２のファスナ部材を互いに引き寄せてロックする、スライドファスナ。
【請求項２】
前記係合部材は、前記スライドの方向に延びるにつれて、短くなって前記第１及び第２のファスナ部材を互いにロックする、請求項１に記載のスライドファスナ。
【請求項３】
前記スライダは、互いに解除した前記第１及び第２のファスナ部材とを仕切る分離壁を含む請求項１に記載のスライドファスナ。
【請求項４】
前記スライダは、前記係合部材と前記第１及び第２のファスナ部材との間隔を保つスペーサを含む請求項１に記載のスライドファスナ。
【請求項５】
互いにロック可能な第１及び第２のファスナ部材とスライド可能に係合する係合部材を含み、
前記係合部材は、前記第１及び第２のファスナ部材に沿ってスライドするにつれて、前記第１及び第２のファスナ部材を互いに引き寄せてロックする、ファスナスライダ。
【請求項６】
バッグと、
前記バッグを閉じるように互いにロック可能な第１及び第２のファスナ部材とを含むファスナと、
前記ファスナに沿ってスライド可能なスライダとを含み、
前記スライダは、前記第１及び第２のファスナ部材とスライド可能に係合する係合部材を含み、
前記スライダが前記ファスナに沿ってスライドするにつれて、前記係合部材は前記第１及び第２のファスナ部材を互いに引き寄せてロックする、ファスナバッグ。
【発明の詳細な説明】
【技術分野】
【０００１】
本発明は、ポケット、鞄等のバッグに適用されるファスナスライダ、スライドファスナ及びファスナバックに関する。
【背景技術】
【０００２】
関連のファスナスライダは、バッグの口に取り付けられたファスナと、ファスナをロック又は解除するようにバッグの外側でファスナに沿ってスライド可能なスライダとを有する。
【０００３】
【特許文献１】特開２００３−３１９８０６号公報
【発明の開示】
【発明が解決しようとする課題】
【０００４】
しかしながら、このファスナスライダは、バッグの外側に取り付けられるため、構造的に大型になる。また、このファスナスライダは、インライン供給を困難にする。
【０００５】
そこで、本発明の課題は、小型化を図ると共にインライン供給を容易にするファスナスライダ、スライドファスナ及びファスナバックを提供することにある。
【課題を解決するための手段】
【０００６】
上記課題を解決するために、発明の第１の特徴は、次の要素を含むスライドファスナを提供する。スライドファスナは、互いにロック可能な第１及び第２のファスナ部材を含むファスナを含む。スライドファスナは、前記ファスナに沿ってスライド可能なスライダを含む。前記スライダは、前記第１及び第２のファスナ部材とスライド可能に係合する係合部材を含む。前記スライダが前記ファスナに沿ってスライドするにつれて、前記係合部材は前記第１及び第２のファスナ部材を互いに引き寄せてロックする。
【０００７】
前記係合部材は、前記スライドの方向に延びるにつれて、短くなって前記第１及び第２のファスナ部材を互いにロックしてもよい。
【０００８】
前記スライダは、互いに解除した前記第１及び第２のファスナ部材とを仕切る分離壁を含んでもよい。
【０００９】
前記スライダは、前記係合部材と前記第１及び第２のファスナ部材との間隔を保つスペーサを含んでもよい。
【００１０】
発明の第２の特徴は、次の要素を含むファスナスライダを提供する。ファスナスライダは、互いにロック可能な第１及び第２のファスナ部材とスライド可能に係合する係合部材を含む。前記係合部材は、前記第１及び第２のファスナ部材に沿ってスライドするにつれて、前記第１及び第２のファスナ部材を互いに引き寄せてロックする。
【００１１】
発明の第３の特徴は、次の要素を含むファスナバッグを提供する。ファスナバッグはバッグを含む。ファスナバッグは、前記バッグを閉じるように互いにロック可能な第１及び第２のファスナ部材を含むファスナを含む。ファスナバッグは、前記ファスナに沿ってスライド可能なスライダを含む。前記スライダは、前記第１及び第２のファスナ部材とスライド可能に係合する係合部材を含む。前記スライダが前記ファスナに沿ってスライドするにつれて、前記係合部材は前記第１及び第２のファスナ部材を互いに引き寄せてロックする。
【発明の効果】
【００１２】
この発明によれば、スライダの係合部材が第１及び第２のファスナ部材を互いに引き寄せてロックする。この機構は、装置の小型化を達成するとともに、インライン供給を容易にする。
【発明を実施するための最良の形態】
【００１３】
以下、図面を参照して実施の形態を詳細に説明する。
【００１４】
図１を参照して、ファスナバッグ１０は、側縁１０ａ及び底縁１０ｂで互いに融着したシート１１、１２を含む。ファスナバッグ１０は、口１０ｃの近くでシート１１、１２の内側に取り付けられたファスナ２０を含む。ファスナバッグ１０は、シート１１、１２の内側に配置されてファスナ２０に沿ってスライド可能なスライダ３０を含む。スライダ３０を方向Ｆ１へスライドすると、ファスナ２０を閉じる。スライダ３０を方向Ｆ２へスライドすると、ファスナ２０を開く。ファスナバッグ１０は、その口１０ｃをヒートシールすることによって、ファスナ２０及びスライダ３０を内部に有した状態で、密封される。
【００１５】
ファスナ２０は、図６に示すように、互いにロック可能な第１のファスナ部材２１及び第２のファスナ部材２５とを含む。
【００１６】
第１のファスナ部材２１は、シート１１の内面に固定された第１の基板２２と、第１の基板２２から第２のファスナ部材２５へ向かって延びる第１のフック部材２３、２４を有する。第１のフック部材２３、２４は、第１の基板２２から垂直に延びる第１の支持壁２３ａ、２４ａを含む。第１のフック部材２３、２４は、第１の支持壁２３ａ、２４ａの先端からその両側へ延びる第１のフック２３ｂ、２３ｃ、２４ｂ、２４ｃを含む。
【００１７】
第２のファスナ部材２５は、シート１２に固定された第２の基板２６と、第２の基板２６から第１のファスナ部材２１へ向かって延びる第２のフック部材２７、２８を含む。
第２のフック部材２７、２８は、第２の基板２６から垂直に延びる第２の支持壁２７ａ、２８ａを含む。第２のフック部材２７、２８は、第２の支持壁２７ａ、２８ａの先端からその両側へ延びる第２のフック２７ｂ、２７ｃ、２８ｂ、２８ｃを含む。
【００１８】
図２、３を参照して、スライダ３０は、第１及び第２のファスナ部材２１、２５の間に配置される。スライダ３０は、スライドの方向Ｆ２の一端から他端において、分離部３０ａ、移行部３０ｂ、ロック部３０ｃを連続的に有する。分離部３０ａは、離れた第１及び第２のフック部材２３、２４、２７、２８を保持する。移行部３０ａは、スライドの方向Ｆ１又はＦ２に依存して、第１及び第２のフック部材２３、２４、２７、２８をロック又は解除する。ロック部３０ｃは、ロックした第１及び第２のフック部材２３、２４、２７、２８を保持する。
【００１９】
スライダ３０は、分離部３０ａからロック部３０ｃまで延びる操作板３１を含む。スライダ３０は、分離部３０ａから移行部３０ｂの途中まで延びる分離壁３２を含む。スライダ３０は、分離部３０ａからロック部３０ｃまで延びるスペーサ３３、３５を含む。スライダ３０は、分離部３０ａからロック部３０ｃまで延びる係合部材としての第３及び第４のフック部材３４、３７、３９を含む（図３参照）。第３及び第４のフック部材３４、３７、３９は、それぞれ第１及び第２のフック部材２３、２４、２７、２８とそれぞれ係合する。
【００２０】
操作板３１は、その両側に方向Ｆ１を横切るように延びる突出部３１ａを有する。この突出部３１ａは指の引っ掛かりを助ける。
【００２１】
分離壁３２は操作板３１の延長上に位置決めされる（図３参照）。分離壁３２は、スライダ３０の一端から方向Ｆ２へ延び、移行部３０ｂの途中、つまり、スライダ３０の中央で終端する。分離壁３２は、解除した第１及び第２のフック部材２３、２４、２７、２８を隔て、これらの再ロックを防止する。
【００２２】
Ｌ形のスペーサ３３、３５は分離壁３２と第１の基板２２の間に配置される。スペーサ３３、３５は、分離壁３２から垂直に延びる側壁３３ａ、３５ａを含む。スペーサ３３、３５は、側壁３３ａ、３５ａの端から他の側壁３５ａ、３３ａへ向かって延びる頂壁３３ｂ、３５ｂを有する。側壁３３ａ、３５ａは、分離部３０ａで一定の長さである。側壁３３ａ、３５ａは、移行部３０ｂで方向Ｆ２に延びるにつれて、短くなる（図５参照）。側壁３３ａ、３５ａは、ロック部３０ｃで方向Ｆ２に一定の長さになる。側壁３３ａ、３５ａのロック部３０ｃにおける長さは、分離部３０ａにおけるそれよりも短い。頂壁３３ｂ、３５ｂは、第１の基板２２を支持して、側壁３３ａ、３５ａの長さ分のスペースを確保する。
【００２３】
Ｔ形の第３のフック部材３４は、方向Ｆ２においてスライダ３０の一端から他端まで延びる。第３のフック部材３４は、分離壁３２の一方側であってスペーサ３３、３５の間に配置される。第３のフック部材３４は、分離壁３２の一方側から垂直に延びる第３の支持壁３４ａと、第３の支持壁３４ａから両側へ延びる第３のフック３４ｂ、３４ｃを含む。
【００２４】
第３の支持壁３４ａは、分離部３０ａにおいて方向Ｆ２に一定の長さを有する（図３参照）。第３の支持壁３４ａは、移行部３０ｂにおいて方向Ｆ２へ延びるにつれて、短くなっていく（図５参照）。第３の支持壁３４ａは、ロック部３０ｃにおいて方向Ｆ２に一定の長さを有する（図４参照）。第３の支持壁３４ａのロック部３０ｃにおける長さは分離部３０ａにおける長さよりも短い。
【００２５】
第３のフック３４ｂ、３４ｃは、第１のフック２３ｂ、２４ｂとそれぞれ引っ掛かる。第３のフック３４ｂ、３４ｃは、分離部３０ａにおいて方向Ｆ２に一定の長さを有する（図３参照）。第３のフック３４ｂ、３４ｃは、移行部３０ｂにおいて方向Ｆ２に延びるにつれて、長くなる（図５参照）。第３のフック３４ｂ、３４ｃは、ロック部３０ｃにおいて方向Ｆ２に一定の長さを有し、この長さは第１の支持壁２３ａ、２４ａに相当する（図４参照）。第３の支持壁３４ａと第３のフック３４ｂ、３４ｃとの合計の長さは、方向Ｆ２においてスライダ３０の一端から他端にかけて一定である。
【００２６】
Ｌ形の第４のフック部材３７、３９は、分離壁３２の他方側に配置される。第４のフック部材３７、３９は、分離壁３２の他方側から垂直に延びる第４の支持壁３７ａ、３９ａと、第４の支持壁３７ａ、３９ａから他の支持壁３９ａ、３７ａへ向けて延びる第４のフック３７ｂ、３９ｂを含む。第４の支持壁３７ａ、３９ａは、分離部３０ａにおいて方向Ｆ２に一定の長さを有する（図３参照）。第４の支持壁３４ａは、移行部３０ｂにおいて方向Ｆ２へ延びるにつれて、短くなり消滅する（図４参照）。第４のフック３７ｂ、３９ｂは、第２のフック２７ｂ、２８ｂにそれぞれ引っ掛かる。
【００２７】
次に、ファスナバッグ１０の使用方法を説明する。
【００２８】
図１を参照して、先ず、ヒートシールされたファスナバッグ１０の口１０ｃを開く。ファスナ２０のＡ１部分は開いており、第１及び第２のファスナ部材２１、２５は、互いに離れている。ファスナ２０を閉じるためには、ファスナバッグ１０の外側から操作板３１を操作して、スライダ３０を方向Ｆ１へスライドすればよい。
【００２９】
図３において、スライダ３０の分離部３０ａは、第１及び第２のファスナ部材２１、２５に作用する。すなわち、第３のフック部材３４は第１のフック部材２３、２４と係合し、第４のフック部材３７、３９は第２のフック部材２７、２８と係合する。すなわち、第３のフック３４ｂ、３４ｃは第１のフック２４ｂ、２３ｂに引っ掛かる。第４のフック３７ｂ、３９ｂは第２のフック２７ｂ、２８ｂに引っ掛かる。
【００３０】
ここで、スペーサ３３、３５及び第４の支持壁３７ａ、３９ａは、それぞれ第１及び第２の基板２２、２６を支持して、第１及び第２のフック部材２３、２４、２７、２８のための空間を確保する。また、第１及び第２のファスナ部材２１、２５を近づけようとしても、分離壁３２は第１及び第２のファスナ部材２１、２５を隔てる。
【００３１】
さらに、スライダ３０を方向Ｆ１へスライドさせると、スライダ３０の移行部３０ｂは第１及び第２のファスナ部材２１、２５に作用する。すなわち、第３の支持壁３４ａ、第４の支持壁３７ａ、３９ａ、側壁３３ａ、３５ａは、徐々に短くなり、第３のフック３４ｂ、３４ｃは徐々に長くなる。これにより、第３のフック部材３４及び第４のフック部材３７、３９は互いに近づいて第１のフック部材２３、２４と第２のフック部材２７、２８とを互いに引き寄せる。そして、分離壁３２、第３の支持壁３７ａ、第４の支持壁３９ａは消滅する（図５参照）。第１のフック２３ｃ、２４ｃ及び第２のフック２７ｃ、２８ｃは互いに乗り越えて、行き過ぎる。
【００３２】
図４を参照して、さらにスライダ３０を方向Ｆ１へスライドさせると、スライダ３０のロック部３０ｃが第１及び第２のファスナ部材２１、２５に作用する。すなわち、第３のフック３４ｂ、３４ｃ及び第４のフック３７ｂ、３９ｂは操作板３１の延長線上に達する。第１のフック部材２３、２４は、頂壁３３ｂ、３５ｂに達し、第２のフック部材２７、２８は第２の基板２６に達する。
【００３３】
さらに、スライダ３０を方向Ｆ１にスライドすると、第３及び第４のフック部材３４、３７、３９は、第１及び第２のフック部材２３、２４、２７、２８から離れる。第１のフック部材２３、２４と第２のフック部材２７、２８とは互いに引っ掛かり、第１の及び第２のファスナ部材２１、２５を互いにロックし、ファスナ２０を閉じる（図６参照）。
【００３４】
次に、ファスナ２０を開くためには、スライダ３０を方向Ｆ２へスライドさせればよい。
【００３５】
図４を参照して、スライダ３０のロック部３０ｃは第１及び第２のファスナ部材２１、２５に作用する。第３のフック部材３４は第１のフック部材２３、２４と係合し、第４のフック部材３７、３９は、第２のフック部材２７、２８と係合する。すなわち、第３のフック３４ｂ、３４ｃは、それぞれ第１のフック２４ｂ、２３ｂに引っ掛かる。第４のフック３７ｂ、３９ｂは第２のフック２７ｂ、２８ｂに引っ掛かる。
【００３６】
スライダ３０を方向Ｆ２へさらにスライドさせると、スライダ３０の移行部３０ｂが第１及び第２のファスナ部材２１、２５に作用する。第３の支持壁３４ａ、側壁３３ａ、３５ａ及び第４の支持壁３７ａ、３９ａは徐々に長くなり、第３のフック３４ｂ、３４ｃは徐々に短くなる。これにより、第３のフック部材３４及び第４のフック部材３７、３９は互いに遠ざかり、第１のフック２３ｃ、２４ｃと第２のフック２７ｃ、２８ｃとを引き離す（図３参照）。
【００３７】
図３を参照して、スライダ３０を方向Ｆ２へさらにスライドさせると、スライダ３０の分離部３０ａが第１のフック部材２３、２４と第２のフック部材２７、２８に作用する。第３及び第４のフック部材３４、３７、３９は、分離した第１のフック部材２３、２４と第２のフック部材２７、２８を保持する。
【００３８】
スライダ３０をＦ２方向へさらにスライドさせると、第３及び第４のフック部材３４、３７、３９は、第１及び第２のフック部材２３、２４、２７、２８から離れる。第１のフック部材２３、２４と第２のフック部材２７、２８は互いに解除され、ファスナ２０を開く。
【００３９】
以上の実施形態によれば、スライダ３０の第３及び第４のフック部材３４、３７、３９は、ファスナ２０の内側で第１のフック部材２３、２４と第２のフック部材２８、２９とをロックする。この機構は、ファスナ２０の小型化を図ると共に、インライン供給を容易にする。
【００４０】
ファスナバッグ１０は、その口１０ｃをヒートシールすることによって、その内部にファスナ２０及びスライダ３０を有した状態で、密封される。
【００４１】
なお、本発明は、実施の形態に限定されず、当業者の通常の修正、改変を含む。本発明は、図７に示すように、ポケットファスナ２０Ａに適用してもよい。ポケットファスナ２０Ａの第１及び第２の基板２２、２６は、突起２２ａ、２６ａを有する。この突起２２ａ、２６ａは、第１及び第２の基板２２、２６の間に隙間を形成し、ポケット内の通気を確保する。
【図面の簡単な説明】
【００４２】
【図１】ファスナバッグの正面図である。
【図２】図１におけるスライダの正面図である。
【図３】図１に示すファスナのIII-IIIに沿った断面図であり、スライダの断面は図２に示すIII-IIIに沿う。
【図４】図１に示すファスナのIV-IVに沿った断面図であり、スライダの断面は図２に示すIV−IVに沿う。
【図５】図１に示すファスナ及び図２に示すスライダの上面図である。
【図６】図１に示すファスナのVI-VIに沿った断面図である。
【図７】変形の形態に係わるポケットファスナの断面図である。
【符号の説明】
【００４３】
１０  ファスナバッグ
１１、１２  シート
２０  ファスナ
２１  第１のファスナ部材
２２  第１の基板
２３、２４  第１のフック部材
２５  第２のファスナ部材
２６  第２の基板
２７、２８  第２のフック部材
３０  スライダ
３１  操作板
３２  分離壁
３３、３５  スペーサ
３４  第３のフック部材
３７、３９  第４のフック部材
【図１】
2007325751.tif 000003
【図２】
2007325751.tif 000004
【図３】
2007325751.tif 000005
【図４】
2007325751.tif 000006
【図５】
2007325751.tif 000007
【図６】
2007325751.tif 000008
【図７】
2007325751.tif 000009